(57)【要約】 【課題】  構造が簡単で、より少ないキャップの回転で、閉鎖膜を開孔することができる閉鎖膜付チューブ容器【解決手段】  閉鎖膜を有するチューブ本体と、該チューブ本体の口部に螺合されるキャップとから成り、該閉鎖膜に相対向するキャップの筒体の天面に形成した針体が、キャップを回転することにより、キャップの筒体及び針体がチューブ本体の口部に螺合しながら下降して、閉鎖膜を破る閉鎖膜付チューブ容器において、前記チューブ本体の口部と、前記キャップの筒体との間に、スペーサーを介在させたことを特徴とする閉鎖膜付チューブ容器。  【選択図】    図１              
2005306447.tif 000002
【特許請求の範囲】
【請求項１】
閉鎖膜を有するチューブ本体と、該チューブ本体の口部に螺合されるキャップとから成り、該閉鎖膜に相対向するキャップの筒体の天面に形成した針体が、キャップを回転することにより、キャップの筒体及び針体がチューブ本体の口部に螺合しながら下降して、閉鎖膜を破る閉鎖膜付チューブ容器において、前記チューブ本体の口部と、前記キャップの筒体との間に、スペーサーを介在させたことを特徴とする閉鎖膜付チューブ容器。
【請求項２】
前記キャップが、下端に針体を有し、針体から上方に貫通するノズル通路が形成されたノズルキャップと、該ノズル通路の開口を閉鎖する蓋体とから構成されていることを特徴とする請求項１記載の閉鎖膜付チューブ容器。
【発明の詳細な説明】
【技術分野】
【０００１】
この発明は、閉鎖膜付チューブ容器に関し、さらに詳しくは、構造が簡単で、より少ないキャップの回転で、閉鎖膜を開孔することができる閉鎖膜付チューブ容器に関する。  
【背景技術】
【０００２】
従来、チューブ本体５０及び閉鎖膜５２は、アルミ等の金属材料で造られ、ノズルキャップ５３及び蓋体５４は、ポリエチレン等の合成樹脂で造られている。このような従来の閉鎖膜付チューブ容器としては、図６及び図７に示すようなものがある。ノズルキャップ５３の内筒５７の内周面に連続する天面には、チューブ本体５０の口部５１に形成された閉鎖膜５２に相対向して、針体５６が形成されている。又、内筒５７の雌ネジ５７ａに連続する内筒５７の下端には、スリット（図示せず）により、一定間隔毎に仕切られた複数の羽根片５９が形成されている。この羽根片５９は、過誤により、ノズルキャップ５３の針体５６によって、閉鎖膜５２が開孔されるのを防止するための機能を果たしている。ノズルキャップ５３の外筒６０の内周面には、羽根片５９の先端部が係合するための係合溝６１が形成されている。この係合溝６１は、羽根片５９の先端部に対応して形成されている。針体５６は、回転しながら穿孔するため、尖鋭部が片側に偏って形成されている。
【０００３】
又、この針体５６から上方には、突き抜けたノズル通路５５が形成されている。そして、このノズル通路５５の開口は、蓋体５４が螺合され閉鎖されている（特許文献１参照）。閉鎖膜５２を破り、口部５１を開孔する場合は、図７に示すように、ノズルキャップ５３及び蓋体５４を同時に回転して、チューブ本体５０の口部５１の雄ネジ５１ａに沿って、内筒５７の螺合を下降する。すると、針体５６も同様に回転しながら下降し、図７に示す様に、針体５６により閉鎖膜５２が開孔される。開孔と同時に、内筒５７の下端に形成された複数の羽根片５９が、内筒５７の押圧により、その先端部が、チューブ本体５０の肩部と当接し、徐々に外側に折曲される。この羽根片５９の折曲により、過誤により閉鎖膜５２が開孔される防止片としての機能を終了する。そして、この先端部が係合溝６１に嵌合することにより、閉鎖膜５２が、針体５６により開孔されたことが確認できる。
【特許文献１】特開２０００−３３９５９号公報
【発明の開示】
【発明が解決しようとする課題】
【０００４】
しかしながら、このような従来の閉鎖膜チューブ容器５０は、ノズルキャップ５３の針体５６が、閉鎖膜５２を開孔するまで、ノズルキャップ５３をより多く回転する必要がある。すなわち、使用者は、通常のキャップよりも長い距離（図６に示す寸法Ｌ）だけ、ノズルキャップ５３をより多く回転しなければ、閉鎖膜５２を開口することができないため、チューブ容器の開口を迅速に行いたい場合には頗る不便であると共に、老人、子供にとっては、面倒なものであった。さらに、このような従来の閉鎖膜チューブ容器５０の構造は複雑であり、それに伴い成形金型の構造も複雑にならざるを得ないという欠点があった。
この発明は、このような従来の課題に着目してなされたもので、閉鎖膜チューブ容器５０構造が簡単で、より少ないキャップの回転で、迅速に閉鎖膜を開孔することができる閉鎖膜付チューブ容器を提供することを目的とする。
【課題を解決するための手段】
【０００５】
請求項１記載の発明の手段は、閉鎖膜を有するチューブ本体と、チューブ本体の口部に螺合されるキャップとから成り、閉鎖膜に相対向するキャップの筒体の天面に形成した針体が、キャップを回転することにより、キャップの筒体及び針体がチューブ本体の口部に螺合しながら下降して、閉鎖膜を破る閉鎖膜付チューブ容器において、チューブ本体の口部と、キャップの筒体との間に、スペーサーを介在させたことを特徴とする閉鎖膜付チューブ容器である。チューブ本体の口部の閉鎖膜を開孔する場合は、嵌合又は螺合されているスペーサーを取り去り、チューブ本体の口部に直接キャップを螺合して回転することにより、より少ないキャップの回転で、迅速に閉鎖膜を開孔することができる。又、キャップ及び成形金型の構造もより簡単になる。 
【０００６】
請求項２記載の発明の手段は、キャップが、下端に針体を有し、針体から上方に貫通するノズル通路が形成されたノズルキャップと、ノズル通路の開口を閉鎖する蓋体とから構成されていることを特徴とする閉鎖膜付チューブ容器である。同様に、チューブ本体の口部の閉鎖膜を開孔する場合は、嵌合又は螺合されているスペーサーを取り去り、チューブ本体の口部に直接ノズルキャップを螺合して回転することにより、より少ないノズルキャップの回転で、迅速に閉鎖膜を開孔することができる。又、ノズルキャップ及び成形金型の構造もより簡単になる。
【発明の効果】
【０００７】
この発明によれば、スペーサーを口部から取り外して、ノズルキャップの構造が簡単で、より少ないノズルキャップの回転で、閉鎖膜を開孔することができる効果を有する。又チューブ容器の開口を急いでいる場合に便利であり、老人、子供にとって開孔が容易である。
【発明を実施するための最良の形態】
【０００８】
閉鎖膜付チューブの構造が簡単で、より少ないノズルキャップの回転で、閉鎖膜を迅速に開孔するという目的を、チューブ本体の口部とノズルキャップの間に、スペーサーを介在させることにより実現した。
【実施例１】
【０００９】
図１〜図３は、この発明に係る実施例１を示す図面である。チューブ本体１及び閉鎖膜２は、アルミ等の金属材料又はポリエチレン等の合成樹脂材料で造られ、ノズルキャップ３は、ポリエチレン等の合成樹脂で造られている。この実施例１はノズルキャップ３が、ノズル筒体３ａと、このノズル筒体３ａの天面に形成されたノズル部３ｂとから構成されている。このノズル部３ｂの下端には、チューブ本体１の口部４に形成された閉鎖膜２に相対向して、針体６が形成されている。又、ノズル部３ｂは、針体６から突き抜けるように、ノズル通路７が形成されている。閉鎖膜２が針体６で開孔され、チューブ本体１の胴部が押圧されると、内容物は口部４を通過して、このノズル部３ｂのノズル通路７から外部に抽出される。そして、このノズル通路７の開口には、蓋体８が螺合されることにより、ノズル通路７が閉鎖されている。図２は、スペーサー５を取り外し、ノズルキャップ３を直接チューブ本体１の口部４に螺合した状態を示す図面（ａ）と、取り外したスペーサー５を示す断図面である。スペーサー５は、上筒部５ａの外周に、ノズル筒体３ａと嵌合するための凸部９が形成され、又下筒部５ｂの内周には、チューブ本体１の口部４と嵌合するための凸部１０が形成されている。この凸部９及び凸部１０により、スペーサー５の取り外しが迅速かつ容易にできる。なお、凸部９及び凸部１０に代えて、各々雄ねじと雌ねじが形成され、ノズル筒体３ａ及び口部４に螺合されてもよい。
【００１０】
図４は、この発明に係る実施例２を示す図面である。チューブ本体１１及び閉鎖膜１２は、アルミ等の金属材料又はポリエチレン等の合成樹脂材料で造られ、ノズルキャップ１３は、ポリエチレン等の合成樹脂で造られている。この実施例２はノズルキャップ１３が、ノズル筒体１３ａと、このノズル筒体１３ａの天面に形成されたノズル部１３ｂとから構成され、このノズル部１３ｂの下端には、チューブ本体１１の口部１４に形成された閉鎖膜１２に相対向して、針体１６が形成されている。又、ノズル部１３ａは、針体１６から突き抜けるように、ノズル通路１７が形成されている。閉鎖膜１２が針体１６で開孔され、チューブ本体１１の胴部が押圧されると、内容物は口部１４を通過して、このノズル部１３ｂのノズル通路１７から外部に抽出される。又、このノズル通路１７の開口には、蓋体１８が螺合されることによりノズル通路１７が閉鎖されている。図５は、スペーサー１５を取り外し、ノズルキャップ１３を直接チューブ本体１１の口部１４に螺合した状態を示す図面（ａ）と、取り外したスペーサー１５を示す断図面である。スペーサー１５は、上筒部１５ａの外周に、ノズル筒体１３ａと嵌合するための凸部１９が形成され、又下筒部１５ｂの内周には、チューブ本体１１の口部１４と嵌合するための凸部２０が形成されている。この凸部１９及び凸部２０により、スペーサー１５の取り外しが迅速かつ容易にできる。なお、凸部１９及び凸部２０に代えて、各々雄ねじと雌ねじが形成され、ノズル筒体１３ａ及び口部１４に螺合されてもよい。
【産業上の利用可能性】
【００１１】
本発明の活用例として、特に薬品、接着剤等の閉鎖膜付チューブ容器に広く適用することができる。
【図面の簡単な説明】
【００１２】
【図１】本発明に係る実施例１を示す断面図。
【図２】本発明に係る実施例１を示す断面図であり、スペーサーを取り外した閉鎖膜付チューブ容器の断面図（ａ）と、スペーサーの断面図（ｂ）である。
【図３】本発明に係る実施例１のスペーサーを示す正面図である。
【図４】本発明に係る実施例２を示す断面図。
【図５】本発明に係る実施例２を示す断面図であり、スペーサーを取り外した閉鎖膜付チューブ容器の断面図（ａ）と、スペーサーの断面図（ｂ）である。
【図６】従来の開孔前の閉鎖膜付チューブ容器を示す断面図。
【図７】従来の開孔後の閉鎖膜付チューブ容器を示す断面図。
【符号の説明】
【００１３】
１  １１  チューブ本体
２  １２  閉鎖膜
３  １３  ノズルキャップ
３ａ  １３ａ  ノズル筒体
３ｂ  １３ｂ  ノズル部  
４  １４  口部
５  １５  スペーサー
６  １６  針体
７  １７  ノズル通路
８  １８  蓋体
【図１】
2005306447.tif 000003
【図２】
2005306447.tif 000004
【図３】
2005306447.tif 000005
【図４】
2005306447.tif 000006
【図５】
2005306447.tif 000007
【図６】
2005306447.tif 000008
【図７】
2005306447.tif 000009